(57)【要約】【課題】従来技術においては、コモンモードノイズ対策の構造を、小型化することが望まれる。【解決手段】磁性体コアと、第１の巻線と、前記第１の巻線と短絡されない第２の巻線と、第３の巻線と、を備え、前記第１の巻線と前記第２の巻線と前記第３の巻線とは、前記磁性体コアに巻き回しされ、前記第１の巻線に第１の電流が流れることで、前記磁性体コアに第１の磁束が生じ、前記第２の巻線に前記第１の電流と同方向の第２の電流が流れることで、前記磁性体コアに第２の磁束が生じ、前記第３の巻線に前記第１の電流と逆方向の第３の電流が流れることで、前記磁性体コアに第３の磁束が生じ、前記第１の磁束と前記第２の磁束と前記第３の磁束とは、互いに強め合う、磁気部品。【選択図】図１
2016208505.tif 000002
【特許請求の範囲】
【請求項１】
磁性体コアと、
第１の巻線と、
前記第１の巻線と短絡されない第２の巻線と、
第３の巻線と、
を備え、
前記第１の巻線と前記第２の巻線と前記第３の巻線とは、前記磁性体コアに巻き回しされ、
前記第１の巻線に第１の電流が流れることで、前記磁性体コアに第１の磁束が生じ、
前記第２の巻線に前記第１の電流と同方向の第２の電流が流れることで、前記磁性体コアに第２の磁束が生じ、
前記第３の巻線に前記第１の電流と逆方向の第３の電流が流れることで、前記磁性体コアに第３の磁束が生じ、
前記第１の磁束と前記第２の磁束と前記第３の磁束とは、互いに強め合う、
磁気部品。
【請求項２】
前記第３の巻線の線径は、前記第１の巻線の線径または前記第２の巻線の線径の少なくとも一方よりも、小さい、
請求項１に記載の磁気部品。
【請求項３】
前記第３の巻線は、前記第１の巻線または前記第２の巻線の少なくとも一方が巻き回しされる位置に、巻き回しされる、
請求項１または２に記載の磁気部品。
【請求項４】
前記第３の巻線は、前記第１の巻線と前記第２の巻線との線間に、巻き回しされる、
請求項１から３のいずれかに記載の磁気部品。
【請求項５】
前記第１の巻線の巻数と前記第２の巻線の巻数とは、等しく、
前記第３の巻線の巻数は、前記第１の巻線の巻数とは、異なる、
請求項１から４のいずれかに記載の磁気部品。
【請求項６】
前記第１の巻線における第１の電流が入力される端子と、前記第２の巻線における第２の電流が入力される端子と、前記第３の巻線における第３の電流が出力される端子とは、一辺に配置され、
前記第１の巻線における第１の電流が出力される端子と、前記第２の巻線における第２の電流が出力される端子と、前記第３の巻線における第３の電流が入力される端子とは、別の一辺に配置される、
請求項１から５のいずれかに記載の磁気部品。
【請求項７】
前記第１の巻線に前記第１の電流と逆方向の第４の電流が流れることで、前記磁性体コアに第４の磁束が生じ、
前記第２の巻線に前記第４の電流と逆方向の第５の電流が流れることで、前記磁性体コアに第５の磁束が生じ、
前記第４の磁束と前記第５の磁束とは、互いに弱め合う、
請求項１から６のいずれかに記載の磁気部品。
【請求項８】
請求項１から７のいずれかに記載の磁気部品と、
第１の電力線と、
第２の電力線と、
中性線と、
を備え、
前記第１の巻線は、前記第１の電力線と、接続され、
前記第２の巻線は、前記第２の電力線と、接続され、
前記第３の巻線は、前記中性線と、接続される、
電気回路。
【請求項９】
前記第１の電力線と前記第２の電力線とにコモンモード電流が流れるときに、前記第１の巻線に前記第１の電流が流れ、かつ、前記第２の巻線に前記第２の電流が流れ、かつ、前記中性線に前記コモンモード電流と逆方向の帰還電流が流れることで前記第３の巻線に前記第３の電流が流れる、
請求項８に記載の電気回路。
【請求項１０】
前記第１の電力線と前記第２の電力線とにノーマルモード電流が流れるときに、前記第１の巻線に第４の電流が流れ、かつ、前記第２の巻線に前記第４の電流と逆方向の第５の電流が流れ、
前記第１の巻線に前記第４の電流が流れることで前記磁性体コアに第４の磁束が生じ、かつ、
前記第２の巻線に前記第５の電流が流れることで前記磁性体コアに第５の磁束が生じ、
前記第４の磁束と前記第５の磁束とは、互いに弱め合う、
請求項８または９に記載の電気回路。
【発明の詳細な説明】
【技術分野】
【０００１】
本開示は、コモンモードノイズを除去するノイズ対策部品に関する。
【背景技術】
【０００２】
特許文献１は、チョークコイルとアースラインチョークコイルとを備えるノイズフィルタ回路を開示している。
【０００３】
特許文献２は、ノイズ増幅回路の出力に応じてコモンモードチョークコイルに起電力を与える電流供給回路を有するＡＣラインフィルタを開示している。
【先行技術文献】
【特許文献】
【０００４】
【特許文献１】特開平６−２３３５２１号公報
【特許文献２】特開平１０−３０３６７４号公報
【発明の概要】
【発明が解決しようとする課題】
【０００５】
従来技術においては、コモンモードノイズ対策の構造を、小型化することが望まれる。
【課題を解決するための手段】
【０００６】
磁性体コアと、第１の巻線と、前記第１の巻線と短絡されない第２の巻線と、第３の巻線と、を備え、前記第１の巻線と前記第２の巻線と前記第３の巻線とは、前記磁性体コアに巻き回しされ、前記第１の巻線に第１の電流が流れることで、前記磁性体コアに第１の磁束が生じ、前記第２の巻線に前記第１の電流と同方向の第２の電流が流れることで、前記磁性体コアに第２の磁束が生じ、前記第３の巻線に前記第１の電流と逆方向の第３の電流が流れることで、前記磁性体コアに第３の磁束が生じ、前記第１の磁束と前記第２の磁束と前記第３の磁束とは、互いに強め合う、磁気部品。
【発明の効果】
【０００７】
本開示によれば、コモンモードノイズ対策の構造を、小型化することができる。
【図面の簡単な説明】
【０００８】
【図１】図１は、実施の形態１における磁気部品の概略構成を示す図である。
【図２】図２は、実施の形態１における磁気部品の変形例の概略構成を示す図である。
【図３】図３は、実施の形態１における磁気部品の別の変形例の概略構成を示す図である。
【図４】図４は、実施の形態２における電気回路の一例の概略構成を示す図である。
【図５】図５は、コモンモードに対する透過特性の実測例を示す図である。
【図６】図６は、コモンモードチョークコイル２１の概略構成を示す図である。
【図７】図７は、単相三線式系統におけるノイズフィルタ回路の一例を示す図である。
【発明を実施するための形態】
【０００９】
以下、本開示の実施の形態が、図面を参照しながら、説明される。
【００１０】
まず、本発明者の着眼点が、下記に説明される。
【００１１】
回路装置から電源ラインを通して流出するノイズの除去、あるいは、ノイズの入射への対策として、ノイズフィルタ回路が使用される。ノイズは、その伝播特性から、ノーマルモードノイズとコモンモードノイズに分類される。ノーマルモードノイズとは、電力線の間を回るノイズである。コモンモードノイズとは、複数の電力線上を同相に伝播し、中性線を帰路として逆相に伝播するノイズである。
【００１２】
図６は、コモンモードチョークコイル２１の概略構成を示す図である。
【００１３】
図７は、単相三線式系統におけるノイズフィルタ回路の一例を示す図である。
【００１４】
コモンモードノイズを低減するためのコンデンサＣ３とコンデンサＣ４とが、第１の電力線８ａと第２の電力線８ｂと中性線８ｃとの間に、接続されている。また、コンデンサＣ３とコンデンサＣ４よりも電源側に、コモンモードチョークコイル２１が、接続されている。
【００１５】
電源側から供給される電流の一部は、コンデンサＣ３とコンデンサＣ４とを介して、中性線８ｃに漏洩する。漏洩電流に対しては、安全規格で上限が定められている。このため、コンデンサＣ３とコンデンサＣ４としては、数ｎＦ以下の小容量のコンデンサが、使用される。コモンモードノイズを減衰させるパラメータは、コンデンサＣ３とコンデンサＣ４のキャパシタンスと、コモンモードチョークコイル２１のインダクタンスである。したがって、コモンモードノイズを十分に低減するためには、コモンモードチョークコイル２１の第１の巻線Ｌ１および第２の巻線Ｌ２のインダクタンスを大きくする必要がある。
【００１６】
しかしながら、ｋＷ級の電力を扱う回路では、第１の電力線８ａと第２の電力線８ｂとに、数Ａ〜数十Ａ程度の大きな電流が流れる。このため、第１の電力線８ａと第２の電力線８ｂとに挿設される第１の巻線Ｌ１および第２の巻線Ｌ２としては、電流容量の大きな太い電線を巻回させる必要がある。しかし、第１の巻線Ｌ１または第２の巻線Ｌ２の巻数を増やすと、コモンモードチョークコイル２１の体積が、増大するという課題があった。
【００１７】
本発明者は、以上の着眼点に基づいて、下記の実施の形態を創作するに至った。
【００１８】
（実施の形態１）
図１は、実施の形態１における磁気部品の概略構成を示す図である。
【００１９】
図１において、巻線に添えられた点記号●は、それぞれの巻線の磁気結合の方向を示している。
【００２０】
実施の形態１における磁気部品は、磁性体コア１０と、第１の巻線Ｌ１と、第２の巻線Ｌ２と、第３の巻線Ｌ３と、を備える。第２の巻線Ｌ２は、第１の巻線Ｌ１と短絡されない。
【００２１】
第１の巻線Ｌ１と第２の巻線Ｌ２と第３の巻線Ｌ３とは、磁性体コア１０に巻き回しされる。
【００２２】
第１の巻線Ｌ１に第１の電流が流れることで、磁性体コア１０に第１の磁束が生じる。
【００２３】
第２の巻線Ｌ２に第１の電流と同方向の第２の電流が流れることで、磁性体コア１０に第２の磁束が生じる。
【００２４】
第３の巻線Ｌ３に第１の電流と逆方向の第３の電流が流れることで、磁性体コア１０に第３の磁束が生じる。
【００２５】
第１の磁束と第２の磁束と第３の磁束とは、互いに強め合う。
【００２６】
以上の構成によれば、コモンモードノイズ対策の構造を、小型化することができる。すなわち、当該磁気部品であれば、第１の巻線と第２の巻線とを同相に流れ、かつ、第３の巻線を帰路として逆相に流れるコモンモードノイズが生じた場合に、磁性体コアにおいて、全ての巻線が同方向の磁束を生じさせる。すなわち、例えば、当該磁気部品を用いてコモンモードチョークコイルを構成すれば、電気回路の電力線および中性線を流れるコモンモードノイズにより生じる磁束が互いに強め合うように、結合させることができる。これにより、第１の巻線と第２の巻線とのインダクタンスが小さくても、コモンモードノイズが生じた場合に、大きなインピーダンスを得ることができる。すなわち、各巻線のインダクタンスを小さくすることができる。これにより、第１の巻線および第２の巻線（例えば、電力線に挿設される線径の太い巻線）の巻数を削減できる。これにより、コモンモードチョークコイルの小型化を実現できる。
【００２７】
例えば、トロイダル形状の磁性体コアを用いて、実施の形態１の磁気部品（ここで、第１の巻線と第２の巻線と第３の巻線の巻数が等しいとする）を構成した場合を考える。このとき、当該磁気部品であれば、従来のトロイダル形状の二線式コモンモードチョークコイルと比べて、磁性体コアの体積を約７５％削減できる。また、当該磁気部品であれば、従来のトロイダル形状の二線式コモンモードチョークコイルに加えて、これと結合の無いインダクタを中性線に挿設する構成と比べて、磁性体コアの体積を約５０％削減することができる。
【００２８】
また、以上の構成によれば、特許文献１に開示されているようなアースラインのチョークコイルの追加といった部品点数の増加を抑制できる。この結果、部品点数の増加による回路の信頼性の低下を、抑制できる。また、部品点数の増加による設計・実装の工数の増大を、抑制できる。
【００２９】
また、以上の構成によれば、特許文献２に開示されているようなノイズ対策のための電源系統を別途設ける構成と比較して、回路規模を小型化できる。
【００３０】
また、以上の構成によれば、各巻線のインダクタンスが小さくなることにより、コモンモードチョークコイルの自己共振周波数が上昇する。これにより、コモンモードチョークコイルが有効に機能する周波数帯域を、広くすることができる。
【００３１】
また、以上の構成によれば、第１の巻線および第２の巻線の長さが短くなる。これにより第１の巻線および第２の巻線の抵抗成分が、小さく抑えられる。この結果、当該磁気部品における電力損失を、低減することができる。
【００３２】
図１に示される構成では、例えば、端子５ａと端子５ｂと端子５ｃとから流入する同相電流に対して、第１の巻線Ｌ１と第２の巻線Ｌ２とが同方向の磁束を生じ、かつ、第３の巻線Ｌ３が逆方向の磁束を生じる向きに、各巻線間が結合されている。
【００３３】
図５は、コモンモードに対する透過特性の実測例を示す図である。
【００３４】
図５において、透過特性の値が小さいほど、コモンモードノイズを遮断する性能が高い。
【００３５】
図５において、実線は、実施の形態１の磁気部品を用いた場合の結果を示す。
【００３６】
実施の形態１の磁気部品として、第１の巻線と第２の巻線と第３の巻線の巻数が、それぞれ、６である磁気部品を用いた。
【００３７】
また、実施の形態１の磁気部品においては、第３の巻線として、直径０．５ｍｍのエナメル線を用いた。
【００３８】
図５において、破線は、比較例の磁気部品を用いた場合の結果を示す。
【００３９】
比較例として、図６に示されるような２線式コモンモードチョークコイルを用いた。このとき、第１の巻線と第２の巻線の巻数は、それぞれ、１２とした。
【００４０】
実施の形態１の磁気部品および比較例においては、第１の巻線および第２の巻線として、直径１．６ｍｍのエナメル線を用いた。
【００４１】
また、実施の形態１の磁気部品および比較例においては、磁性体コアとして、コアの断面積が２３ｍｍ２であり、コアの外周直径が２７．５ｍｍである、ナノ結晶軟磁性材料のコアを用いた。
【００４２】
図５は、出力１ｍＷとした場合のネットワーク・アナライザの測定結果である。
【００４３】
図５に示される通り、巻数の少ない実施の形態１の磁気部品により、巻数の多い比較例と同等以上のコモンモードノイズ遮断性能を実現することができる。
【００４４】
以上のように、コモンモードノイズに対する低減効果を維持しながら、かつ、単一部品としてのコモンモードチョークコイルの小型化を実現することができる。
【００４５】
なお、実施の形態１における磁気部品おいては、第３の巻線Ｌ３の線径は、第１の巻線Ｌ１の線径または第２の巻線Ｌ２の線径の少なくとも一方よりも、小さくてもよい。例えば、第３の巻線Ｌ３の線径は、第１の巻線Ｌ１の線径および第２の巻線Ｌ２の線径のいずれよりも、小さくてもよい。
【００４６】
以上の構成によれば、例えば、線径が小さい導線として形成した第３の巻線を、磁性体コアの外周のうちの小さな区画に巻き回しできる。すなわち、第３の巻線の線径を小さくすることにより、当該磁気部品を、より小型化できる。第３の巻線を中性線と接続する場合、第３の巻線には、コモンモードノイズとして微小電流が流れる。このため、第３の巻線には、電流容量が小さい細線を、使用することができる。
【００４７】
図２は、実施の形態１における磁気部品の変形例の概略構成を示す図である。
【００４８】
実施の形態１における磁気部品においては、第３の巻線Ｌ３は、第１の巻線Ｌ１または第２の巻線Ｌ２の少なくとも一方が巻き回しされた位置に、巻き回しされてもよい。例えば、実施の形態１における磁気部品においては、図２に示されるように、第３の巻線Ｌ３は、第１の巻線Ｌ１と第２の巻線Ｌ２とが巻き回しされた位置に、巻き回しされてもよい。
【００４９】
以上の構成によれば、第１の巻線および第２の巻線の巻回に必要な領域を有する磁性体コアを用いることができる。すなわち、第３の巻線の巻回に必要な領域を削減でき、磁性体コアをより小型化できる。ノーマルモード電流による磁束飽和を防ぐためには、第１の巻線と第２の巻線との間の結合度は１に近い値であることが好ましい。一方で、第１の巻線または第２の巻線と、第３の巻線との結合係数の低下は、磁束飽和に影響しない。
【００５０】
また、以上の構成によれば、第１の巻線の線間容量と第２の巻線の線間容量とを、低下させることができる。さらに、第１の巻線または第２の巻線と、第３の巻線との間の寄生容量を、増加させることができる。これにより、当該磁気部品を用いたコモンモードチョークコイルの自己共振周波数を、より上昇させることができる。さらに、コモンモードノイズに対する低減効果を、より向上させることができる。
【００５１】
なお、図２に示される構成例においては、第１の巻線Ｌ１および第２の巻線Ｌ２と、第３の巻線Ｌ３とが、絶縁されている必要がある。例えば、第３の巻線Ｌ３が、絶縁皮膜で覆われていてもよい。もしくは、第１の巻線Ｌ１および第２の巻線Ｌ２の少なくとも一方が、絶縁皮膜で覆われていてもよい。もしくは、第１の巻線Ｌ１および第２の巻線Ｌ２と、第３の巻線Ｌ３とが、絶縁性の仕切りで、分離されていてもよい。
【００５２】
図３は、実施の形態１における磁気部品の別の変形例の概略構成を示す図である。
【００５３】
実施の形態１における磁気部品においては、図３に示されるように、第３の巻線Ｌ３は、第１の巻線Ｌ１と第２の巻線Ｌ２との線間に、巻き回しされてもよい。
【００５４】
以上の構成によれば、第１の巻線の線間容量と第２の巻線の線間容量とを、より低下させることができる。さらに、第１の巻線または第２の巻線と、第３の巻線との間の寄生容量を、より増加させることができる。これにより、当該磁気部品を用いたコモンモードチョークコイルの自己共振周波数を、より上昇させることができる。さらに、コモンモードノイズに対する低減効果を、より向上させることができる。
【００５５】
なお、実施の形態１における磁気部品おいては、第１の巻線Ｌ１の巻数と第２の巻線Ｌ２の巻数とは、等しくてもよい。このとき、第３の巻線Ｌ３の巻数は、第１の巻線Ｌ１の巻数とは、異なってもよい。
【００５６】
以上の構成によれば、第１の巻線の巻数と第２の巻線の巻数とが等しいことにより、ノーマルモード電流による磁束飽和を防ぐことができる。このとき、磁束飽和には影響しない第３の巻線の巻数を調整することにより、所望のコモンモードインピーダンスを設定することができる。
【００５７】
また、実施の形態１における磁気部品おいては、第１の巻線Ｌ１における第１の電流が入力される端子と、第２の巻線Ｌ２における第２の電流が入力される端子と、第３の巻線Ｌ３における第３の電流が出力される端子とは、一辺に配置されてもよい。
【００５８】
このとき、第１の巻線Ｌ１における第１の電流が出力される端子と、第２の巻線Ｌ２における第２の電流が出力される端子と、第３の巻線Ｌ３における第３の電流が入力される端子とは、別の一辺に配置されてもよい。
【００５９】
以上の構成によれば、例えば、ノイズ源となる回路側の端子と電源側の端子とを、分離させることができる。このため、端子間の寄生容量を低く抑えた実装が可能となる。これにより、巻線のインダクタンスと並列な寄生容量の発生を抑制できる。これにより、コモンモードチョークコイルのノイズ低減効果の劣化を抑制できる。
【００６０】
図１および図２および図３に示される構成例では、端子４ａと端子４ｂと端子４ｃとが、端子５ａと端子５ｂと端子５ｃとは離れて、配置されている。
【００６１】
また、実施の形態１における磁気部品おいては、第１の巻線Ｌ１に第１の電流と逆方向の第４の電流が流れることで、磁性体コア１０に第４の磁束が生じてもよい。
【００６２】
このとき、第２の巻線Ｌ２に第４の電流と逆方向の第５の電流が流れることで、磁性体コア１０に第５の磁束が生じてもよい。
【００６３】
このとき、第４の磁束と第５の磁束とは、互いに弱め合ってもよい。
【００６４】
以上の構成によれば、ノーマルモード電流の流れが、当該磁気部品によって阻害されることを抑制することができる。
【００６５】
なお、各巻線としては、銅線など、一般に公知の材質の巻線が用いられうる。
【００６６】
また、磁性体コア１０としては、フェライトコアなど、一般に公知の材質の磁性体コアが用いられうる。
【００６７】
また、磁性体コア１０は、その磁路上に、ギャップを有していてもよい。
【００６８】
以上の構成によれば、第１の巻線および第２の巻線の巻数が少ないためにインダクタンスのばらつきが大きくなる場合であっても、磁性体コアの磁気飽和の発生をより抑制することができる。
【００６９】
また、磁性体コア１０は、複数のコア材を組み合わせた複合コアであってもよい。
【００７０】
以上の構成によれば、例えば、低周波で高い透磁率を持つ磁性体コアと、高周波で高い透磁率を持つ磁性体コアとを、組み合わせることができる。これにより、当該磁気部品の自己共振周波数を高めることで、高周波特性を良好とすることができる。
【００７１】
（実施の形態２）
以下、実施の形態２が説明される。上述の実施の形態１と重複する説明は、適宜、省略される。
【００７２】
図４は、実施の形態２における電気回路の一例の概略構成を示す図である。
【００７３】
実施の形態２における電気回路は、磁気部品２０と、第１の電力線８ａと、第２の電力線８ｂと、中性線８ｃと、を備える。第２の電力線８ｂは、第１の電力線８ａと短絡されない。
【００７４】
磁気部品２０は、実施の形態１における磁気部品である。
【００７５】
磁気部品２０の第１の巻線Ｌ１は、第１の電力線８ａと、接続される。
【００７６】
磁気部品２０の第２の巻線Ｌ２は、第２の電力線８ｂと、接続される。
【００７７】
磁気部品２０の第３の巻線Ｌ３は、中性線８ｃと、接続される。
【００７８】
以上の構成によれば、電気回路におけるコモンモードノイズ対策の構造を、小型化することができる。
【００７９】
例えば、スイッチング電源回路では、中性電位との間の寄生結合により発生するコモンモードノイズが大きい。そこで、例えば、スイッチング電源回路の入力側に、実施の形態１の磁気部品をコモンモードチョークコイルとして挿設することにより、回路規模を顕著に増大させずに、コモンモードノイズを効果的に低減できる。
【００８０】
実施の形態１の磁気部品を用いることで、実施の形態１で説明された効果を奏することができる。
【００８１】
より具体的には、実施の形態２における電気回路においては、第１の電力線８ａと第２の電力線８ｂとにコモンモード電流が流れるときに、下記の電流の流れと磁束が生じる。
【００８２】
すなわち、第１の巻線Ｌ１に第１の電流が流れる。これにより、磁気部品２０の磁性体コア１０に第１の磁束が生じる。
【００８３】
さらに、第２の巻線Ｌ２に第１の電流と同方向の第２の電流が流れる。これにより、磁気部品２０の磁性体コア１０に第２の磁束が生じる。
【００８４】
さらに、中性線８ｃにコモンモード電流と逆方向の帰還電流が流れる。これにより、第３の巻線Ｌ３に第１の電流と逆方向の第３の電流が流れる。これにより、磁気部品２０の磁性体コア１０に第３の磁束が生じる。
【００８５】
このとき、第１の磁束と第２の磁束と第３の磁束とは、互いに強め合う。
【００８６】
以上の構成によれば、コモンモード電流が流れる際に、磁気部品２０のインピーダンスが増加する。これにより、コモンモード電流の流れが阻害される。この結果、電気回路におけるコモンモードノイズを低減できる。
【００８７】
より具体的には、実施の形態２における電気回路においては、第１の電力線８ａと第２の電力線８ｂとにノーマルモード電流が流れるときに、下記の電流の流れと磁束が生じる。
【００８８】
すなわち、第１の巻線Ｌ１に第４の電流が流れる。これにより、磁気部品２０の磁性体コア１０に第４の磁束が生じる。
【００８９】
さらに、第２の巻線Ｌ２に第４の電流と逆方向の第５の電流が流れる。これにより、磁気部品２０の磁性体コア１０に第５の磁束が生じる。
【００９０】
このとき、第４の磁束と第５の磁束とは、互いに弱め合う。
【００９１】
以上の構成によれば、ノーマルモード電流が流れる際に、磁気部品２０のインピーダンスが低下する。これにより、電気回路におけるノーマルモード電流の流れが、磁気部品２０によって阻害されることを抑制することができる。
【００９２】
図４に示される構成例では、コンデンサＣ１とコンデンサＣ２とが設けられている。これにより、ノーマルモードノイズを、低減することができる。
【００９３】
また、図４に示される構成例では、コンデンサＣ３とコンデンサＣ４とが設けられている。これにより、コモンモードノイズを、低減することができる。
【００９４】
以上のように、図４に示される構成例では、磁気部品２０とコンデンサＣ１〜Ｃ４とにより、ノイズフィルタ回路が構成されている。
【００９５】
なお、実施の形態２の電気回路は、単相三線式の電源ラインと電源回路とに接続される電気回路であってもよい。
【００９６】
端子７ａと端子７ｂとに、電源回路の電源配線が、接続される。端子７ｃに、電源回路の中性電位が、接続される。また、端子６ａと端子６ｂとに、電源ケーブルの電源線が、接続される。端子６ｃに、電源ケーブルの中性線が、接続される。
【００９７】
以上の接続により、端子７ａと端子７ｂとから流入し、かつ、端子７ｃから帰還するコモンモードノイズを、大幅に減衰することができる。
【００９８】
なお、磁気部品２０と、コンデンサＣ１およびＣ２と、コンデンサＣ３およびＣ４の配置位置は、入れ替わってもよい。
【００９９】
また、２個以上の磁気部品２０を用いて、多段の回路構成としてもよい。
【産業上の利用可能性】
【０１００】
本開示の磁気部品は、スイッチング電源回路などにおけるノイズフィルタとして、利用されうる。
【符号の説明】
【０１０１】
８ａ    第１の電力線
８ｂ    第２の電力線
８ｃ    中性線
１０    磁性体コア
２０    磁気部品
Ｌ１    第１の巻線
Ｌ２    第２の巻線
Ｌ３    第３の巻線
【図４】
2016208505.tif 000003
【図５】
2016208505.tif 000004
【図７】
2016208505.tif 000005
【図１】
2016208505.tif 000006
【図２】
2016208505.tif 000007
【図３】
2016208505.tif 000008
【図６】
2016208505.tif 000009